(57)【特許請求の範囲】
【請求項１】
画像を表示する表示部と、
両眼視差に応じた差異を有する右目用の視差画像および左目用の視差画像と、前記右目用の視差画像および前記左目用の視差画像の少なくとも一方が対象視差画像であり、前記対象視差画像を囲む領域の少なくとも一部に位置する周辺画像と、を前記表示部に表示させる制御部と、を備え、
右レンズと左レンズとを備えて、前記右レンズに対向する右空間と前記左レンズに対向する左空間とを、前記右目用の視差画像が前記右空間を通じて前記右レンズに向けて表示され、前記左目用の視差画像が前記左空間を通じて前記左レンズに向けて表示されるように区画する３Ｄビューワと共に用いられる表示装置であって、
前記右空間と前記左空間とのうち前記対象視差画像が面する空間が対象空間であり、
前記周辺画像は、前記対象視差画像に視線を誘導するための画像であって、前記３Ｄビューワが前記対象空間に備える反射部に映される画像である
表示装置。
【請求項２】
前記周辺画像は、前記対象視差画像における前記周辺画像と隣接する部分の色彩に依拠した色彩を有し、かつ、前記隣接する部分よりも色彩の変化が緩やかな画像である
請求項１に記載の表示装置。
【請求項３】
前記表示部において、
前記右目用の視差画像と前記左目用の視差画像との並ぶ方向が左右方向であり、
前記左右方向と直交する方向が上下方向であり、
前記周辺画像は、前記対象視差画像を囲む領域における前記上下方向の中間よりも少なくとも下側に表示される
請求項１または２に記載の表示装置。
【請求項４】
前記周辺画像は、前記対象視差画像を囲む領域の全体に表示される
請求項１〜３のいずれか一項に記載の表示装置。
【請求項５】
前記周辺画像は、ぼかし処理された画像である
請求項１〜４のいずれか一項に記載の表示装置。
【請求項６】
前記周辺画像を表示するための画像データは、前記対象視差画像を表示するための画像データを用いた画像処理によって生成されたデータである
請求項１〜５のいずれか一項に記載の表示装置。
【請求項７】
前記対象視差画像を表示するための画像データは、基本データの一部を用いた画像処理によって生成されたデータであり、前記周辺画像を表示するための画像データは、前記基本データの残部を用いた画像処理によって生成されたデータである
請求項１〜５のいずれか一項に記載の表示装置。
【請求項８】
両眼視差に応じた差異を有する右目用の視差画像および左目用の視差画像の少なくとも一方が対象視差画像であり、右レンズと左レンズとを備えて、前記右レンズに対向する右空間と前記左レンズに対向する左空間とを、前記右目用の視差画像が前記右空間を通じて前記右レンズに向けて表示され、前記左目用の視差画像が前記左空間を通じて前記左レンズに向けて表示されるように区画する３Ｄビューワと共に用いられる表示装置用のプログラムであって、
前記右空間と前記左空間とのうち前記対象視差画像が面する空間が対象空間であり、表示装置の備える表示部のなかで前記対象視差画像を囲む領域の少なくとも一部に位置する画像が周辺画像であって、当該周辺画像は、前記３Ｄビューワが前記対象空間に備える反射部に映される画像であり、
前記表示装置の備える制御部に、
前記右目用の視差画像および前記左目用の視差画像を前記表示部に表示させるとともに、前記周辺画像として、前記対象視差画像に視線を誘導するための画像を前記表示部に表示させる機能を与える
視差画像表示プログラム。
【請求項９】
３Ｄビューワに収納された表示装置に右目用の視差画像と左目用の視差画像とを表示させて視差画像を提供する視差画像の提供方法であって、
前記表示装置は、
前記右目用の視差画像と前記左目用の視差画像とを含む画像を表示する表示部と、
前記表示部の表示を制御する制御部と、を備え、
前記３Ｄビューワは、
右レンズと、
左レンズと、
前記右レンズと対向する右空間を区画する右区画板部であり、前記右目用の視差画像が前記右空間を通じ前記右レンズに向けて表示されるように構成された前記右区画板部と、
前記左レンズと対向する左空間を区画する左区画板部であり、前記左目用の視差画像が前記左空間を通じ前記左レンズに向けて表示されるように構成された前記左区画板部と、
前記右空間と前記左空間との少なくとも一方が対象空間であって、前記対象空間に位置する反射部であり、前記対象空間と対向するレンズから見て、前記対象空間を通じて表示される画像の一部を映す前記反射部と、
前記対象空間において前記反射部と隙間をあけて前記反射部よりも内側に位置する仕切部と、を備え、
前記視差画像の提供方法は、
前記制御部が、前記右目用の視差画像を前記表示部に表示させること、
前記制御部が、前記左目用の視差画像を前記表示部に表示させること、
前記右目用の視差画像および前記左目用の視差画像の少なくとも一方が対象視差画像であり、前記制御部が、前記対象視差画像を囲む領域の少なくとも一部に位置する周辺画像を、前記対象空間と対向するレンズから見て、前記隙間に位置するように表示部に表示さ
せるとともに、前記周辺画像は、前記反射部に映される画像であって、前記対象視差画像に視線を誘導するための画像であること
を含む視差画像の提供方法。
【発明の詳細な説明】
【技術分野】
【０００１】
本発明は、視差画像を表示する表示装置、視差画像表示プログラム、および、視差画像の提供方法に関する。
【背景技術】
【０００２】
従来から、スマートフォン等の表示装置に、両眼視差に応じた差異を有する右目用の視差画像と左目用の視差画像とを表示させ、３Ｄビューワの利用によって、ユーザに、視差画像に含まれる対象を立体的に見せる技術が知られている。詳細には、上記３Ｄビューワは、例えば、２つのレンズと、２つのレンズを表示装置の表示部から所定の距離だけ離れた位置に保持する支持部材とを備えている。表示装置の表示部には、右目用の視差画像と左目用の視差画像とが並べて表示され、ユーザは、３Ｄビューワのレンズを通して、右目で右目用の視差画像を見るとともに、左目で左目用の視差画像を見る。これによって、ユーザは、右目で見える視差画像と左目で見える視差画像との差異に応じた立体感を知覚し、ユーザには、画像に含まれる対象が立体的に見える（例えば特許文献１，２参照）。
【先行技術文献】
【特許文献】
【０００３】
【特許文献１】特開２０１３−１９０４５０号公報
【特許文献２】登録実用新案第３１８５４５８号公報
【発明の概要】
【発明が解決しようとする課題】
【０００４】
ところで、レンズを通して右目から見える領域には、右目用の視差画像とその周辺領域とが含まれ、レンズを通して左目から見える領域には、左目用の視差画像とその周辺領域が含まれる。こうした周辺領域には、例えば、表示装置の縁部やその縁部と隣り合う３Ｄビューワの一部という構造物が含まれる。視差画像と周辺領域との間で認識される像の違いが大きい場合、周辺領域が目立って視差画像からユーザの意識が逸れ、視差画像として提供されているコンテンツへのユーザの没入感が低下する。
本発明は、ユーザの没入感を高めることのできる表示装置、視差画像表示プログラム、および、視差画像の提供方法を提供することを目的とする。
【課題を解決するための手段】
【０００５】
上記課題を解決する表示装置は、画像を表示する表示部と、両眼視差に応じた差異を有する右目用の視差画像および左目用の視差画像と、前記右目用の視差画像および前記左目用の視差画像の少なくとも一方が対象視差画像であり、前記対象視差画像を囲む領域の少なくとも一部に位置する周辺画像と、を前記表示部に表示させる制御部と、を備え、前記周辺画像は、前記対象視差画像に視線を誘導するための画像である。
【０００６】
上記構成によれば、ユーザが表示部に表示された画像を見るとき、対象視差画像と周辺画像とが隣接する領域においては、ユーザの視線は対象視差画像に誘導される。したがって、周辺画像がない構成と比較して、ユーザの意識が視差画像から逸れることが抑えられるため、視差画像として提供されているコンテンツへのユーザの没入感が高められる。
【０００７】
上記表示装置において、前記周辺画像は、前記対象視差画像における前記周辺画像と隣接する部分の色彩に依拠した色彩を有し、かつ、前記隣接する部分よりも色彩の変化が緩やかな画像であることが好ましい。
【０００８】
上記構成によれば、周辺画像は、対象視差画像と似た雰囲気を有しつつ、対象視差画像よりも目立たない画像である。こうした周辺画像と対象視差画像とが隣接する領域では、ユーザの視線は、周辺画像よりも目立つ対象視差画像に誘導されやすい。したがって、視差画像の周辺に視差画像とは異質な構造物が位置して視差画像の周辺領域が目立つ構成と比較して、周辺領域にユーザの注意が向くことが抑えられて、ユーザの意識が視差画像から逸れることが的確に抑えられるため、ユーザの没入感が的確に高められる。
【０００９】
上記表示装置の前記表示部において、前記右目用の視差画像と前記左目用の視差画像との並ぶ方向が左右方向であり、前記左右方向と直交する方向が上下方向であり、前記周辺画像は、前記対象視差画像を囲む領域における前記上下方向の中間よりも少なくとも下側に表示されてもよい。
【００１０】
上記構成によれば、ユーザが対象視差画像を見るとき、ユーザから見て下側に周辺画像は位置する。したがって、ユーザの視界に入りやすい領域に周辺画像が位置するため、対象視差画像へ視線が誘導されやすく、ユーザの意識が視差画像から逸れることが的確に抑えられる。したがって、ユーザの没入感が的確に高められる。
上記表示装置において、前記周辺画像は、前記対象視差画像を囲む領域の全体に表示されてもよい。
【００１１】
上記構成によれば、対象視差画像が周辺画像によって囲まれるため、視差画像へ視線が誘導されやすく、ユーザの意識が視差画像から逸れることが的確に抑えられる。したがって、ユーザの没入感が的確に高められる。
上記表示装置において、前記周辺画像は、ぼかし処理された画像であってもよい。
【００１２】
上記構成によれば、対象視差画像よりも目立たない周辺画像が的確に実現されるため、ユーザの視線が対象視差画像に誘導されやすくなる。したがって、ユーザの意識が視差画像から逸れることが的確に抑えられるため、ユーザの没入感が的確に高められる。
【００１３】
上記表示装置において、前記周辺画像を表示するための画像データは、前記対象視差画像を表示するための画像データを用いた画像処理によって生成されたデータであってもよい。
【００１４】
上記構成によれば、対象視差画像の有する例えば色彩的な特徴を基に周辺画像を生成することができる。したがって、対象視差画像に視線を誘導するための周辺画像の生成が容易である。
【００１５】
上記表示装置において、前記対象視差画像を表示するための画像データは、基本データの一部を用いた画像処理によって生成されたデータであり、前記周辺画像を表示するための画像データは、前記基本データの残部を用いた画像処理によって生成されたデータであってもよい。
【００１６】
上記構成によれば、対象視差画像の有する例えば色彩的な特徴を基に周辺画像を生成することができる。したがって、対象視差画像に視線を誘導するための周辺画像の生成が容易である。
【００１７】
上記課題を解決する視差画像表示プログラムは、両眼視差に応じた差異を有する右目用の視差画像および左目用の視差画像の少なくとも一方が対象視差画像であり、表示装置の備える表示部のなかで前記対象視差画像を囲む領域の少なくとも一部に位置する画像が周辺画像であり、前記表示装置の備える制御部に、前記右目用の視差画像および前記左目用の視差画像を前記表示部に表示させるとともに、前記周辺画像として、前記対象視差画像に視線を誘導するための画像を前記表示部に表示させる機能を与える。
【００１８】
上記構成によれば、ユーザが表示部に表示された画像を見るとき、対象視差画像と周辺画像とが隣接する領域においては、ユーザの視線は対象視差画像に誘導される。したがって、周辺画像がない構成と比較して、ユーザの意識が視差画像から逸れることが抑えられるため、これらの画像として提供されているコンテンツへのユーザの没入感が高められる。
【００１９】
上記課題を解決する視差画像の提供方法は、３Ｄビューワに収納された表示装置に右目用の視差画像と左目用の視差画像とを表示させて視差画像を提供する視差画像の提供方法であって、前記表示装置は、前記右目用の視差画像と前記左目用の視差画像とを含む画像を表示する表示部と、前記表示部の表示を制御する制御部と、を備え、前記３Ｄビューワは、右レンズと、左レンズと、前記右レンズと対向する右空間を区画する右区画板部であり、前記右目用の視差画像が前記右空間を通じ前記右レンズに向けて表示されるように構成された前記右区画板部と、前記左レンズと対向する左空間を区画する左区画板部であり、前記左目用の視差画像が前記左空間を通じ前記左レンズに向けて表示されるように構成された前記左区画板部と、前記右空間と前記左空間との少なくとも一方が対象空間であって、前記対象空間に位置する反射部であり、前記対象空間と対向するレンズから見て、前記対象空間を通じて表示される画像の一部を映す前記反射部と、前記対象空間において前記反射部と隙間をあけて前記反射部よりも内側に位置する仕切部と、を備え、前記視差画像の提供方法は、前記制御部が、前記右目用の視差画像を前記表示部に表示させること、前記制御部が、前記左目用の視差画像を前記表示部に表示させること、前記右目用の視差画像および前記左目用の視差画像の少なくとも一方が対象視差画像であり、前記制御部が、前記対象視差画像を囲む領域の少なくとも一部に位置する周辺画像を、前記対象空間と対向するレンズから見て、前記隙間に位置するように表示部に表示させるとともに、前記周辺画像は、前記反射部に映される画像であって、前記対象視差画像に視線を誘導するための画像であることを含む。
【００２０】
上記方法によれば、ユーザが、右レンズを通して右空間を覗くとともに、左レンズを通して左空間を覗くとき、ユーザの目に見える領域には、右空間内および左空間内の少なくとも一方で反射部が入る。そして、反射部には、反射部と仕切部との間の隙間に位置する画像、すなわち、対象視差画像に視線を誘導するための周辺画像が映り、対象視差画像が反射部に映ることは抑えられる。
【００２１】
したがって、対象視差画像と周辺画像とが隣接する領域においては、対象視差画像にユーザの視線が誘導されるとともに、周辺画像が反射部に映ることによって、対象視差画像とそれに視線を誘導するための画像がユーザの視界に入る頻度が高められ、ユーザの目から見える領域に、こうした画像とは異質な像が含まれることが抑えられる。したがって、ユーザの意識が視差画像から逸れることが的確に抑えられるため、視差画像として提供されているコンテンツへのユーザの没入感が高められる。
【発明の効果】
【００２２】
本発明によれば、ユーザが表示装置に表示された視差画像を見る際に、ユーザの没入感を高めることができる。
【図面の簡単な説明】
【００２３】
【図１】表示装置の１実施形態について、表示装置の構成を示す図である。
【図２】第１実施形態において表示装置に表示される画像を示す図である。
【図３】第１実施形態の視差画像の提供方法にて用いられる３Ｄビューワの斜視構造を表示装置とともに示す斜視図である。
【図４】第１実施形態の視差画像の提供方法にて用いられる３Ｄビューワの斜視構造を示す斜視図である。
【図５】第１実施形態の視差画像の提供方法にて用いられる３Ｄビューワの内部構造を示す図である。
【図６】第１実施形態において表示装置に表示される画像と３Ｄビューワとの位置関係を示す図である。
【図７】第２実施形態の視差画像の提供方法にて用いられる３Ｄビューワの内部構造を示す図である。
【図８】第２実施形態において表示装置に表示される画像と３Ｄビューワとの位置関係を示す図である。
【図９】第２実施形態の視差画像の提供方法にて用いられる３Ｄビューワの反射部および仕切部の構成を示す図である。
【図１０】第２実施形態の３Ｄビューワの反射部に映る像の一例を示す図である。
【発明を実施するための形態】
【００２４】
（第１実施形態）
図１〜図６を参照して、表示装置、視差画像表示プログラム、および、視差画像の提供方法の第１実施形態について説明する。
［表示装置の構成］
図１および図２を参照して、表示装置の構成について説明する。
図１が示すように、表示装置１０は、通信部１１と、表示部１２と、制御部１３と、記憶部１４とを備え、例えばスマートフォン等の携帯端末に具体化される。
【００２５】
通信部１１は、ネットワークを通じて、表示装置１０とサーバ等の外部装置との接続処理を実行し、また、表示装置１０と外部装置との間でデータの送信および受信を行う。
表示部１２は、例えばディスプレイに具体化され、表示面を有する。表示部１２は、制御部１３から受けたデータに基づいて、表示面に画像を表示する。
【００２６】
制御部１３は、ＣＰＵやＲＡＭ等の揮発性メモリを含み、記憶部１４に記憶されたプログラムやデータに基づいて、表示装置１０の各部の制御を行う。一例として、制御部１３は、記憶部１４に記憶されたデータ、もしくは、通信部１１が外部装置から受信したデータに基づいて、表示部１２に画像を表示させる。
記憶部１４は、フラッシュメモリ等の不揮発性メモリから構成され、制御部１３の処理に必要なプログラムやデータを記憶している。
【００２７】
なお、表示装置１０は、制御部１３が表示部１２に画像を表示させる機能を有していれば、スマートフォンに限らず、例えば、音楽プレーヤー等であってもよいし、画像の表示に特化した装置であってもよい。また、制御部１３が記憶部１４に記憶されたデータのみに基づいて表示部１２に画像を表示させる構成であれば、表示装置１０は通信部１１を有していなくてもよい。
図２を参照して、表示装置１０の制御部１３が表示部１２に表示させる画像について説明する。
【００２８】
図２が示すように、表示部１２の有する上記表示面１２ａは略長方形形状を有している。表示面１２ａは、表示面１２ａの延びる方向に、右領域ＤＲと左領域ＤＬとの２つの領域に仮想的に二分割される。右領域ＤＲは、ユーザが表示面１２ａと対向する方向から表示面１２ａを見たとき、ユーザから見て右側に配置される領域であり、左領域ＤＬは、左側に配置される領域である。
【００２９】
制御部１３から受けたデータに基づいて、表示面１２ａの右領域ＤＲには、右目用の視差画像である右視差画像ＩＲが表示され、左領域ＤＬには、左目用の視差画像である左視差画像ＩＬが表示される。右視差画像ＩＲは、右領域ＤＲの中央部に位置する矩形形状の領域に表示され、左視差画像ＩＬは、左領域ＤＬの中央部に位置する矩形形状の領域に表示される。右視差画像ＩＲと左視差画像ＩＬとは、静止画であっても動画であってもよく、両眼視差に応じた差異を有する。
【００３０】
右領域ＤＲにて、右視差画像ＩＲを囲む矩形枠形状の領域には、右周辺画像ＲＲが表示され、左領域ＤＬにて、左視差画像ＩＬを囲む矩形枠形状の領域には、左周辺画像ＲＬが表示される。
【００３１】
右周辺画像ＲＲは、各々が１つの方向に延びる帯状の部分である４つの枠片部Ｒｆが環状に繋がることによって構成されている。２つの枠片部Ｒｆの接続部分、すなわち、右周辺画像ＲＲの角部では、右領域ＤＲの対角線に沿って、各枠片部Ｒｆが区画されている。左周辺画像ＲＬは、各々が１つの方向に延びる帯状の部分である４つの枠片部Ｌｆが環状に繋がることによって構成されている。２つの枠片部Ｌｆの接続部分、すなわち、左周辺画像ＲＬの角部では、左領域ＤＬの対角線に沿って、各枠片部Ｌｆが区画されている。
【００３２】
右周辺画像ＲＲにおける枠片部Ｒｆの各々は、右視差画像ＩＲに視線を誘導するための画像である。枠片部Ｒｆは、例えば、右視差画像ＩＲのなかで各枠片部Ｒｆと隣接する部分である隣接部分の色彩に依拠した色彩を有し、かつ、隣接部分よりも色彩の変化が緩やかな画像である。色彩に依拠するとは、各枠片部Ｒｆが、隣接部分に含まれる色と同系色の色や、隣接部分に含まれる複数の色を平均化した色を含むことを意味する。そして、各枠片部Ｒｆは、隣接部分よりも色彩の変化が緩やかであり、換言すれば、隣接部分よりも、視認性の低いぼやけた画像、すなわち、画像に含まれる対象の輪郭が不鮮明な画像、あるいは、単一の色からなる画像である。また、枠片部Ｒｆは、例えば、右視差画像ＩＲから放射状に広がる線画像であってもよい。
【００３３】
また換言すれば、右周辺画像ＲＲは、右視差画像ＩＲと連続して右視差画像ＩＲを囲む領域に表示されるべき像をユーザが想起し得る画像であって、右視差画像ＩＲを囲む領域に表示されるべき像の情報を右視差画像ＩＲに準じた情報として補完する画像である。
【００３４】
同様に、左周辺画像ＲＬにおける枠片部Ｌｆの各々は、左目用の視差画像ＩＲに視線を誘導するための画像であって、例えば、左視差画像ＩＬにおける各枠片部Ｌｆとの隣接部分の色彩に依拠した色彩を有して隣接部分よりも色彩の変化が緩やかな画像である。
【００３５】
周辺画像ＲＲ，ＲＬは、静止画であっても動画であってもよく、視差画像ＩＲ，ＩＬが動画である場合には、視差画像ＩＲ，ＩＬの変化に伴って変化する動画であることが好ましい。
【００３６】
以下、右周辺画像ＲＲおよび左周辺画像ＲＬの具体例について説明する。以下の説明では、例として、右周辺画像ＲＲについて説明するが、左周辺画像ＲＬも、同様に構成される。
【００３７】
第１の例では、右周辺画像ＲＲを表示するための画像データは右視差画像ＩＲを表示するための画像データを用いた画像処理によって生成され、左周辺画像ＲＬを表示するための画像データは左視差画像ＩＬを表示するための画像データを用いた画像処理によって生成される。
【００３８】
例えば、右視差画像ＩＲのなかで、右周辺画像ＲＲの各枠片部Ｒｆと隣接するピクセル、もしくは、各枠片部Ｒｆと隣接するピクセルの周辺のピクセルから任意のピクセルが複数選択され、選択されたピクセルにおけるＲＧＢ階調値の平均値の示す色が、各枠片部Ｒｆの表示色とされる。また、上記平均値が示す色よりも、明度や彩度が下げられた色が、各枠片部Ｒｆの表示色とされてもよい。この場合、各枠片部Ｒｆは単一の色から構成される。
【００３９】
また例えば、右視差画像ＩＲのなかで、右周辺画像ＲＲの各枠片部Ｒｆと隣接するピクセル、もしくは、各枠片部Ｒｆと隣接するピクセルの周辺のピクセルに対してガウスぼかし等のぼかし処理が行われ、ぼかし処理後の画像が、必要に応じて引き伸ばされて、各枠片部Ｒｆとされる。
【００４０】
また例えば、右視差画像ＩＲが右領域ＤＲ全体まで拡大された後、右周辺画像ＲＲの配置される領域に位置する部分に上記ぼかし処理が行われ、ぼかし処理後の画像が右周辺画像ＲＲとして、拡大前の右視差画像ＩＲの周囲に配置される。
【００４１】
第２の例では、右周辺画像ＲＲを表示するための画像データは右視差画像ＩＲを表示するための画像データの生成元のデータである基本データを用いた画像処理によって生成される。また、左周辺画像ＲＬを表示するための画像データは左視差画像ＩＬを表示するための画像データの生成元のデータである基本データを用いて画像処理によって生成される。
【００４２】
具体的には、右視差画像ＩＲと左視差画像ＩＬとは、３ＤＣＧデータ等の３Ｄデータのレンダリングによって生成される。そして、３Ｄデータにおいて右視差画像ＩＲの生成元となった領域の周囲の領域のデータから生成された画像に、上記ぼかし処理が行われた画像が、右周辺画像ＲＲとされる。３Ｄデータは基本データの一例である。
【００４３】
なお、第１の例および第２の例においては、右視差画像ＩＲと右周辺画像ＲＲとから、右領域ＤＲに表示される１つの画像データに基づく画像が構成され、左視差画像ＩＬと左周辺画像ＲＬとから、左領域ＤＬに表示される１つの画像データに基づく画像が構成されればよい。
第３の例では、右周辺画像ＲＲおよび左周辺画像ＲＬは、右視差画像ＩＲおよび左視差画像ＩＬとは別の画像として、予め生成される。
【００４４】
具体的には、例えば、右視差画像ＩＲとして海の画像が用意されている場合、右周辺画像ＲＲとして、青系の色の画像が用意される。すなわち、枠片部Ｒｆの各々が、右視差画像ＩＲにおける各枠片部Ｒｆとの隣接部分の色彩に依拠した色彩を有して隣接部分よりも色彩の変化が緩やかな画像であれば、右周辺画像ＲＲは、第１の例や第２の例のような画像処理を経ずに別途設定された画像であってよい。そして、例えば、右周辺画像ＲＲの中央部分に透過処理が施された上で、右視差画像ＩＲと右周辺画像ＲＲとの各々をレイヤーとして、右視差画像ＩＲの前面に右周辺画像ＲＲが重ねられて、これらの画像が右領域ＤＲに表示される。
【００４５】
なお、上述の各例にて、右周辺画像ＲＲにおいて、各枠片部Ｒｆの境界は明確でなくてもよく、左周辺画像ＲＬにおいて、各枠片部Ｌｆの境界は明確でなくてもよい。また、右視差画像ＩＲと右周辺画像ＲＲとの境界や、左視差画像ＩＬと左周辺画像ＲＬとの境界は明確でなくてもよく、例えば、これらの境界部分はグラデーションによって表現されていてもよい。
【００４６】
第１の例および第２の例においては、右視差画像ＩＲおよび左視差画像ＩＬが、表示装置１０の記憶部１４に記憶された画像データ、もしくは、記憶部１４に記憶された３Ｄデータから生成された画像データに基づいて表示される画像である場合には、右周辺画像ＲＲおよび左周辺画像ＲＬを表示するための画像データは、制御部１３によって生成される。また、右視差画像ＩＲおよび左視差画像ＩＬが、表示装置１０が外部装置から受信した画像データに基づいて表示される画像である場合には、右周辺画像ＲＲおよび左周辺画像ＲＬを表示するための画像データは、制御部１３によって生成されてもよいし、外部装置にて生成されて、右視差画像ＩＲおよび左視差画像ＩＬを表示するための画像データとともに外部装置から表示装置１０に送信されてもよい。
【００４７】
第３の例においては、右周辺画像ＲＲおよび左周辺画像ＲＬを表示するための画像データと右周辺画像ＲＲおよび左周辺画像ＲＬを表示するための画像データとは、記憶部１４に記憶されていてもよいし、外部装置から表示装置１０に送信されてもよい。
【００４８】
制御部１３における右視差画像ＩＲ、左視差画像ＩＬ、右周辺画像ＲＲ、および、左周辺画像ＲＬを表示部１２に表示させる機能や、右周辺画像ＲＲおよび左周辺画像ＲＬを生成する機能を有する構成は、複数のＣＰＵや、ＲＡＭ等からなるメモリ等の各種のハードウェアによって具体化されてもよく、共通する１つのハードウェアに複数の機能を与えるソフトウェアによって具体化されてもよい。こうしたソフトウェアは、視差画像表示プログラムとして、記憶部１４に記憶される。なお、こうしたソフトウェアは、予め表示装置１０にインストールされていてもよく、ネットワークを通じたダウンロードを経て、表示装置１０にインストールされてもよい。
【００４９】
［３Ｄビューワの構成］
図３〜図７を参照して、表示装置１０に表示される画像を見るために用いられる３Ｄビューワの構成について説明する。なお、以下の説明において、前後上下左右の各向きは、ユーザが３Ｄビューワを使用している状態において、３Ｄビューワに対してユーザ側を前、ユーザと反対側を後、ユーザから見た上下左右を上下左右とする向きである。
まず、図３および図４を参照して、３Ｄビューワの外観構成について説明する。
【００５０】
３Ｄビューワ２０は、主として図３に示される前板部２１、上板部２３、および、右板部２５と、主として図４に示される後板部２２、下板部２４、および、左板部２６とを備えている。これらの各部は板状に形成されている。さらに、３Ｄビューワ２０は、前板部２１に取り付けられた２つのレンズである右レンズ２７と左レンズ２８とを備えている。
【００５１】
互いに対向する前板部２１と後板部２２との各々は、略同形の略長方形形状を有している。前板部２１および後板部２２の延びる方向が左右方向であり、前板部２１と後板部２２とは、左右方向と直交する前後方向に間をあけて向かい合っている。
【００５２】
互いに対向する上板部２３と下板部２４とは、前板部２１と後板部２２との間に位置している。上板部２３と下板部２４との各々は、前板部２１および後板部２２と略直交する面に沿って広がり、左右方向に延びる略長方形形状を有している。左右方向および前後方向と直交する方向が上下方向であって、上板部２３と下板部２４とは、上下方向に間をあけて向かい合っている。
【００５３】
上板部２３の前端は前板部２１の上端と接し、上板部２３の後端は後板部２２の上端とは離れてこの後板部２２の上端に沿って延びている。すなわち、上板部２３と後板部２２との間には隙間があいている。
下板部２４の前端は前板部２１の下端と接し、下板部２４の後端は後板部２２の下端と接している。
【００５４】
互いに対向する右板部２５と左板部２６との各々は、前板部２１および後板部２２と略直交し、かつ、上板部２３および下板部２４と略直交する面に沿って広がる略同形の略長方形形状を有している。右板部２５と左板部２６とは、左右方向に間をあけて向かい合っている。
【００５５】
右板部２５は、前板部２１の右端、後板部２２の右端、上板部２３の右端、および、下板部２４の右端と接し、後板部２２から前板部２１へ向かう方向、すなわち、前方向に、前板部２１を超える位置まで延びている。
【００５６】
左板部２６は、前板部２１の左端、後板部２２の左端、上板部２３の左端、および、下板部２４の左端と接し、前方向に、前板部２１を超える位置まで延びている。
【００５７】
すなわち、３Ｄビューワ２０の外形は、前板部２１、後板部２２、上板部２３、下板部２４、右板部２５、および、左板部２６によって囲まれる箱体から、右板部２５と左板部２６とが前方向に突き出た形状を有している。
【００５８】
前板部２１には、右レンズ孔２１ａと左レンズ孔２１ｂとの２つの貫通孔が、左右方向に並べて形成されている。右レンズ孔２１ａは、前板部２１の左右方向における中央部よりも右板部２５に近い位置に形成され、右レンズ２７によって塞がれている。左レンズ孔２１ｂは、前板部２１の左右方向における中央部よりも左板部２６に近い位置に形成され、左レンズ２８によって塞がれている。右レンズ孔２１ａと左レンズ孔２１ｂとの間の距離、すなわち、右レンズ２７と左レンズ２８との間の距離は、一般的な人の左右の目の間の距離に設定される。
【００５９】
前板部２１と、右レンズ２７および左レンズ２８とは、例えば、接着されていてもよいし、あるいは、前板部２１が板状部材の積層体であって、右レンズ２７および左レンズ２８は、これらの板状部材の間に挟まれて各レンズ孔２１ａ，２１ｂを塞ぐ位置に保持されていてもよい。要は、前板部２１が、右レンズ２７と左レンズ２８とを並べて保持していればよい。
【００６０】
右レンズ２７および左レンズ２８として用いられるレンズの種類は特に限定されず、表示面１２ａに表示される画像を至近距離で視認させることを可能にしたレンズであれば、例えば、樹脂から形成された凸レンズが用いられればよい。右レンズ２７と左レンズ２８とは、繋がっていてもよいし、各別の部材であってもよい。
【００６１】
前板部２１、後板部２２、下板部２４、右板部２５、および、左板部２６によって囲まれる空間は、上板部２３によって塞がれる視野空間Ｓｖと、上板部２３によって塞がれずに上方向に向かって開口する収納空間Ｓｐとに分けられる。視野空間Ｓｖと収納空間Ｓｐとは連通している。
【００６２】
収納空間Ｓｐには、表示装置１０が、表示面１２ａを前板部２１の方に向けて、収納される。すなわち、上板部２３と後板部２２との間の隙間は、表示装置１０の厚みと同程度もしくは表示装置１０の厚みよりもやや大きく、収納空間Ｓｐは、表示装置１０を収納可能な大きさとなるように設定されている。
【００６３】
また、右レンズ２７および左レンズ２８から収納空間Ｓｐまでの距離、すなわち、表示装置１０が収納空間Ｓｐに収納された状態において、右レンズ２７および左レンズ２８から表示装置１０の表示面１２ａまでの距離が、右レンズ２７および左レンズ２８の焦点距離に応じた距離となるように、視野空間Ｓｖの大きさは設定されている。
【００６４】
そして、視野空間Ｓｖおよび収納空間Ｓｐの大きさに応じて、前板部２１、後板部２２、上板部２３、下板部２４、右板部２５、および、左板部２６の各部の大きさが設定されている。
【００６５】
次に、図５を参照して、視野空間Ｓｖの内部の構成について説明する。図５は、前板部２１と対向する方向から、前板部２１を取り除いた状態の３Ｄビューワ２０を見た図である。
図５が示すように、３Ｄビューワ２０は、視野空間Ｓｖの内部に、中板部２９を備えている。
【００６６】
中板部２９は、右板部２５および左板部２６と略平行に広がる板状に形成され、視野空間Ｓｖの内部にて、上板部２３および下板部２４の各々と繋がっている。中板部２９によって、視野空間Ｓｖは、左右方向の中央で、右空間ＳｖＲと左空間ＳｖＬとに区画されている。
【００６７】
右空間ＳｖＲは、右板部２５、中板部２９、上板部２３、下板部２４、および、前板部２１で囲まれる空間であって、右レンズ２７と対向する。左空間ＳｖＬは、左板部２６、中板部２９、上板部２３、下板部２４、および、前板部２１で囲まれる空間であって、左レンズ２８と対向する。収納空間Ｓｐは、右空間ＳｖＲおよび左空間ＳｖＬに対して後板部２２側でこれらの空間ＳｖＲ，ＳｖＬの各々と連通している。
【００６８】
なお、上板部２３から下板部２４に向けて、収納空間Ｓｐと視野空間Ｓｖとの境界部分に、表示装置１０に対する前板部２１側から表示装置１０を支持することによって表示装置１０の位置を規制する規制部が延設されていてもよい。規制部は、表示装置１０が収納空間Ｓｐに収納されたときに、表示面１２ａと重ならない位置に配置される。
【００６９】
上記構成において、各板部のなかで、右空間ＳｖＲを区画する部分が、右区画板部３０である。すなわち、右区画板部３０は、前板部２１の一部と、右板部２５の一部と、中板部２９と、上板部２３の一部と、下板部２４の一部とから構成される。また、各板部のなかで、左空間ＳｖＬを区画する部分が、左区画板部３１である。すなわち、左区画板部３１は、前板部２１の一部と、左板部２６の一部と、中板部２９と、上板部２３の一部と、下板部２４の一部とから構成される。
【００７０】
上記構成において、前板部２１、後板部２２、上板部２３、下板部２４、左板部２６、右板部２５、および、中板部２９の材料は、特に限定されず、紙や樹脂であればよい。
【００７１】
［視差画像の提供装置の構成］
上述のように、３Ｄビューワ２０の収納空間Ｓｐに表示装置１０が収納されることによって、表示装置１０と３Ｄビューワ２０とを備える視差画像の提供装置が構成される。
図６を参照して、視差画像の提供装置における表示装置１０の表示面１２ａと３Ｄビューワ２０との位置関係について説明する。
【００７２】
図６が示すように、視差画像の提供装置４０において、表示面１２ａと対向する方向から見て、表示面１２ａの右領域ＤＲは、３Ｄビューワ２０の右空間ＳｖＲと対向する位置に配置され、表示面１２ａの左領域ＤＬは、３Ｄビューワ２０の左空間ＳｖＬと対向する位置に配置される。表示面１２ａと対向する方向から見て、中板部２９は、表示面１２ａの右領域ＤＲと左領域ＤＬとの境界部分に配置される。
【００７３】
こうした構成において、視差画像の提供装置では、右視差画像ＩＲが右空間ＳｖＲを通じ右レンズ２７に向けて表示され、左視差画像ＩＬが左空間ＳｖＬを通じ左レンズ２８に向けて表示される。
【００７４】
［作用］
第１実施形態の作用を説明する。視差画像の提供装置４０の使用に際して、ユーザは、右目で右レンズ２７を通して右空間ＳｖＲを覗くことによって、右目で右視差画像ＩＲを見て、左目で左レンズ２８を通して左空間ＳｖＬを覗くことによって、左目で左視差画像ＩＬを見る。その結果、ユーザには、左右の目に見える画像の差異に応じた奥行き等の立体感が知覚され、右視差画像ＩＲおよび左視差画像ＩＬに含まれる対象が立体的に見える。
【００７５】
ここで、第１実施形態では、右空間ＳｖＲにおいて、右視差画像ＩＲの周囲には右周辺画像ＲＲが位置し、左空間ＳｖＬにおいて、左視差画像ＩＬの周囲には左周辺画像ＲＬが位置する。
【００７６】
右周辺画像ＲＲは、視線を右視差画像ＩＲに誘導するための画像であって、例えば、右視差画像ＩＲにおける右周辺画像ＲＲとの隣接部分の色彩に依拠した色彩を有して、隣接部分よりも色彩の変化が緩やかな画像である。換言すれば、右周辺画像ＲＲは、右視差画像ＩＲと似た雰囲気を有しつつ、右視差画像ＩＲよりも目立たない画像であって、こうした画像が右視差画像ＩＲの周辺に配置されているため、ユーザの視線は、中央部に位置してその周囲よりも目立つ右視差画像ＩＲに自然と誘導される。
【００７７】
同様に、左視差画像ＩＬと似た雰囲気を有しつつ、左視差画像ＩＬよりも目立たない画像である左周辺画像ＲＬが左視差画像ＩＬの周辺に配置されているため、ユーザの視線は、中央部に位置してその周囲よりも目立つ左視差画像ＩＬに自然と誘導される。
【００７８】
したがって、従来のように、視差画像ＩＲ，ＩＬの直近に表示装置１０の縁部や３Ｄビューワの一部のように視差画像ＩＲ，ＩＬとは異質な構造物が位置する構成と比較して、視差画像ＩＲ，ＩＬの周辺領域が目立ってこの周辺領域にユーザの注意が向くことが抑えられる。結果として、ユーザの意識が右視差画像ＩＲおよび左視差画像ＩＬから逸れることが抑えられるため、これらの画像として提供されているコンテンツへのユーザの没入感が高められる。
【００７９】
なお、視差画像ＩＲ，ＩＬと周辺画像ＲＲ，ＲＬとの境界部分がグラデーションによって表現されている構成では、上記境界部分が目立つことが抑えられるため、ユーザの意識が視差画像ＩＲ，ＩＬから逸れることがより的確に抑えられる。
【００８０】
以上説明したように、第１実施形態によれば、以下の効果が得られる。
（１）表示装置１０にて、視差画像ＩＲ，ＩＬの周囲に、視差画像ＩＲ，ＩＬに視線を誘導するための画像である周辺画像ＲＲ，ＲＬが表示される。そのため、ユーザが表示部１２に表示された画像を見るとき、ユーザの視線は視差画像ＩＲ，ＩＬに誘導される。したがって、周辺画像ＲＲ，ＲＬがない構成と比較して、ユーザの意識が視差画像ＩＲ，ＩＬから逸れることが抑えられるため、これらの画像として提供されているコンテンツへのユーザの没入感が高められる。
【００８１】
（２）周辺画像ＲＲ，ＲＬは、視差画像ＩＲ，ＩＬにおける周辺画像ＲＲ，ＲＬとの隣接部分の色彩に依拠した色彩を有し、かつ、隣接部分よりも色彩の変化が緩やかな画像である。すなわち、周辺画像ＲＲ，ＲＬは、視差画像ＩＲ，ＩＬと似た雰囲気を有しつつ、視差画像ＩＲ，ＩＬよりも目立たない画像である。それゆえ、ユーザの視線は、周辺画像ＲＲ，ＲＬよりも目立つ視差画像ＩＲ，ＩＬに誘導されやすい。したがって、ユーザの意識が視差画像ＩＲ，ＩＬから逸れることが的確に抑えられるため、ユーザの没入感が的確に高められる。
【００８２】
（３）視差画像ＩＲ，ＩＬが周辺画像ＲＲ，ＲＬによって囲まれるため、視差画像ＩＲ，ＩＬへ視線が誘導されやすく、ユーザの意識が視差画像ＩＲ，ＩＬから逸れることが的確に抑えられる。したがって、ユーザの没入感が的確に高められる。
【００８３】
（４）周辺画像ＲＲ，ＲＬがぼかし処理された画像である構成では、視差画像ＩＲ，ＩＬよりも目立たない周辺画像ＲＲ，ＲＬが的確に実現されるため、ユーザの視線が視差画像ＩＲ，ＩＬに誘導されやすくなる。したがって、ユーザの意識が視差画像ＩＲ，ＩＬから逸れることが的確に抑えられるため、ユーザの没入感が的確に高められる。
【００８４】
（５）視差画像ＩＲ，ＩＬの画像データを用いて、周辺画像ＲＲ，ＲＬの画像データが生成される構成や、視差画像ＩＲ，ＩＬの画像データが基本データの一部を用いて生成され、周辺画像ＲＲ，ＲＬの画像データが基本データの残部を用いて生成される構成では、視差画像ＩＲ，ＩＬの有する色彩的な特徴を基に周辺画像ＲＲ，ＲＬを生成することができる。したがって、視差画像ＩＲ，ＩＬに視線を誘導するための周辺画像ＲＲ，ＲＬの生成が容易である。
【００８５】
（第２実施形態）
図７〜図１０を参照して、表示装置、視差画像表示プログラム、および、視差画像の提供方法の第２実施形態について説明する。第２実施形態は、第１実施形態と比較して、視差画像を見るために用いられる３Ｄビューワの構成が異なる。以下では、第１実施形態との相違点を中心に説明し、第１実施形態と同様の構成については同じ符号を付してその説明を省略する。
【００８６】
［３Ｄビューワの構成］
図７を参照して、第２実施形態の３Ｄビューワの構成について説明する。図９は、前板部と対向する方向から、前板部を取り除いた状態の３Ｄビューワを見た図である。
【００８７】
図７が示すように、３Ｄビューワ５０は、視野空間Ｓｖの内部に、中板部２９に加えて、右反射部３５、左反射部３６、右仕切部３７、および、左仕切部３８を備えている。
【００８８】
右反射部３５は、右空間ＳｖＲの内部にて、前後方向に右区画板部３０の内側面に沿って位置する矩形筒状を有する。右反射部３５は、右区画板部３０の前後方向に延びる内側面、すなわち、右板部２５、中板部２９、上板部２３、および、下板部２４の側面に接していてもよいし、この右区画板部３０の内側面から離れて、この内側面に沿って配置されていてもよい。また、右反射部３５は、上記右区画板部３０の内側面に接する部分と、上記右区画板部３０の内側面から離れている部分とを有していてもよい。
【００８９】
右反射部３５の前後方向の幅は、右区画板部３０の前後方向の幅と同程度であることが好ましいが、右区画板部３０の前後方向の幅よりも小さくてもよい。右反射部３５の前後方向の端部のうち、後板部２２に近い方の端部、すなわち後ろ側の端部は、収納空間Ｓｐと右空間ＳｖＲの境界部分まで達している。
【００９０】
左反射部３６は、左空間ＳｖＬの内部にて、前後方向に左区画板部３１の内側面に沿って位置する矩形筒状を有する。左反射部３６は、左区画板部３１の前後方向に延びる内側面、すなわち、左板部２６、中板部２９、上板部２３、および、下板部２４の側面に接していてもよいし、この左区画板部３１の内側面から離れて、この内側面に沿って配置されていてもよい。また、左反射部３６は、上記左区画板部３１の内側面に接する部分と、上記左区画板部３１の内側面から離れている部分とを有していてもよい。
【００９１】
左反射部３６の前後方向の幅は、左区画板部３１の前後方向の幅と同程度であることが好ましいが、左区画板部３１の前後方向の幅よりも小さくてもよい。左反射部３６の前後方向の端部のうち、後板部２２に近い方の端部は、収納空間Ｓｐと左空間ＳｖＬの境界部分まで達している。
【００９２】
なお、右反射部３５や左反射部３６が、右区画板部３０や左区画板部３１の内側面から離れている場合には、右空間ＳｖＲや左空間ＳｖＬの内部に、右反射部３５や左反射部３６を支持する部材が配置されてもよい。
右反射部３５の内側面と左反射部３６の内側面とは、光を反射する機能を有する。
【００９３】
例えば、前後方向における右区画板部３０の内側面と左区画板部３１の内側面とに、光を反射する金属膜が貼り付けられることによって、これらの金属膜から右反射部３５と左反射部３６とが構成されていてもよい。あるいは、右反射部３５と左反射部３６とは、こうした金属膜が積層された紙部材もしくは樹脂部材や、鏡面加工された金属部材であって、こうした部材が、前後方向における右区画板部３０の内側面と左区画板部３１の内側面とに沿って配置されていてもよい。
【００９４】
右仕切部３７は、右空間ＳｖＲの内部にて、前後方向に延びて右反射部３５の内側に配置されている。右仕切部３７は、右反射部３５に沿った矩形環形状を有する環部３７ａと、環部３７ａの外側面における４つの角部の各々から、右反射部３５の内側面において当該角部と対向する角部に向けて延びる延設部３７ｂとを備えている。環部３７ａと右反射部３５との間には隙間があいており、延設部３７ｂにおける環部３７ａとは反対側の端部と右反射部３５とは接している。換言すれば、環部３７ａは、右区画板部３０のなかで右反射部３５に沿って位置する部分と右反射部３５に対して反対側で、右反射部３５と対向している。
【００９５】
左仕切部３８は、左空間ＳｖＬの内部にて、前後方向に延びて左反射部３６の内側に配置されている。左仕切部３８は、左反射部３６に沿った矩形環形状を有する環部３８ａと、環部３８ａの外側面における４つの角部の各々から、左反射部３６の内側面において当該角部と対向する角部に向けて延びる延設部３８ｂとを備えている。環部３８ａと左反射部３６との間には隙間があいており、延設部３８ｂにおける環部３８ａとは反対側の端部と左反射部３６とは接している。換言すれば、環部３８ａは、左区画板部３１のなかで左反射部３６に沿って位置する部分と左反射部３６に対して反対側で、左反射部３６と対向している。
【００９６】
右仕切部３７と左仕切部３８の材料は特に限定されないが、右仕切部３７および左仕切部３８の内側面と外側面との各々は、仕切部３７，３８による不要な光の反射が抑えられる観点において、黒色であることが好ましい。
【００９７】
［視差画像の提供装置の構成］
図８および図９を参照して、視差画像の提供装置における表示装置１０の表示面１２ａと３Ｄビューワ５０の反射部３５，３６および仕切部３７，３８との位置関係について説明する。
【００９８】
図８が示すように、視差画像の提供装置４０において、表示面１２ａと対向する方向から見て、右反射部３５は、右領域ＤＲを囲む位置に配置され、左反射部３６は、左領域ＤＬを囲む位置に配置される。表示面１２ａと対向する方向から見て、右反射部３５と右領域ＤＲとの間には隙間があかないことが好ましく、左反射部３６と左領域ＤＬとの間にも隙間があかないことが好ましい。
【００９９】
表示面１２ａと対向する方向から見て、右仕切部３７は、右周辺画像ＲＲの枠片部Ｒｆの縁に沿って配置され、左仕切部３８は、左周辺画像ＲＬの枠片部Ｌｆの縁に沿って配置される。
【０１００】
詳細には、表示面１２ａと対向する方向から見て、右仕切部３７の環部３７ａは、右視差画像ＩＲと右周辺画像ＲＲとの境界部分に配置され、右仕切部３７の延設部３７ｂは、右周辺画像ＲＲにおける枠片部Ｒｆ同士の境界部分に配置される。同様に、表示面１２ａと対向する方向から見て、左仕切部３８の環部３８ａは、左視差画像ＩＬと左周辺画像ＲＬとの境界部分に配置され、左仕切部３８の延設部３８ｂは、左周辺画像ＲＬにおける枠片部Ｌｆ同士の境界部分に配置される。
【０１０１】
これによって、表示面１２ａと対向する方向から見て、右反射部３５は右周辺画像ＲＲを囲み、右仕切部３７の環部３７ａは右視差画像ＩＲを囲む。また、表示面１２ａと対向する方向から見て、左反射部３６は左周辺画像ＲＬを囲み、左仕切部３８の環部３８ａは左視差画像ＩＬを囲む。そして、表示面１２ａと対向する方向から見て、右仕切部３７の環部３７ａと右反射部３５との間に右周辺画像ＲＲが位置し、左仕切部３８の環部３８ａと左反射部３６との間に左周辺画像ＲＬが位置する。
【０１０２】
図９が示すように、右仕切部３７の前後方向の端部のうち、後板部２２に近い方の端部は、収納空間Ｓｐと右空間ＳｖＲの境界部分まで達し、右仕切部３７の前後方向の幅は、右反射部３５の前後方向の幅よりも小さいことが好ましい。同様に、左仕切部３８の前後方向の端部のうち、後板部２２に近い方の端部は、収納空間Ｓｐと左空間ＳｖＬの境界部分まで達し、左仕切部３８の前後方向の幅は、左反射部３６の前後方向の幅よりも小さいことが好ましい。
【０１０３】
すなわち、右反射部３５の端部と右仕切部３７の端部とは、右空間ＳｖＲの内部において後板部２２側で揃えられ、左反射部３６の端部と左仕切部３８の端部とは、左空間ＳｖＬの内部において後板部２２側で揃えられる。
【０１０４】
［作用］
第２実施形態の作用を説明する。第２実施形態では、表示面１２ａと対向する方向から見て、右周辺画像ＲＲの周囲に右反射部３５が配置され、右視差画像ＩＲの周囲に右仕切部３７が配置され、右反射部３５と右仕切部３７とによって挟まれる領域に右周辺画像ＲＲが位置する。同様に、表示面１２ａと対向する方向から見て、左周辺画像ＲＬの周囲に左反射部３６が配置され、左視差画像ＩＬの周囲に左仕切部３８が配置され、左反射部３６と左仕切部３８とによって挟まれる領域に左周辺画像ＲＬが位置する。
【０１０５】
こうした構成においては、ユーザが、３Ｄビューワ５０を用いて表示装置１０に表示された視差画像ＩＲ，ＩＬを見るとき、ユーザの目に見える領域には反射部３５，３６が入る。そして、右レンズ２７から見て、右反射部３５は、右仕切部３７と右反射部３５との間の隙間を通じて表示される画像、すなわち右周辺画像ＲＲを映し、左反射部３６は、左仕切部３８と左反射部３６との間の隙間を通じて表示される画像、すなわち左周辺画像ＲＬを映す。
【０１０６】
なお、このとき、仕切部３７，３８の端部と反射部３５，３６の端部とは、視野空間Ｓｖの内部において後板部２２側で揃えられ、仕切部３７，３８の前後方向の長さは、反射部３５，３６の前後方向の長さよりも短い。そのため、視野空間Ｓｖの内部に仕切部３７，３８が配置されていても、仕切部３７，３８によってユーザの視界が過度に妨げられることが抑えられる。
【０１０７】
具体的には、図１０が示すように、右反射部３５には、右領域ＤＲのなかで右反射部３５に近い領域に表示されている画像、すなわち、右周辺画像ＲＲが映る。このとき、右視差画像ＩＲと右周辺画像ＲＲとの境界には、右仕切部３７が位置し、表示面１２ａにて右視差画像ＩＲの表示されている領域から右反射部３５へ向かう光を遮るため、右視差画像ＩＲが右反射部３５に映ることは抑えられる。
【０１０８】
右周辺画像ＲＲは、右視差画像ＩＲと似た雰囲気を有しつつ、右視差画像ＩＲよりも目立たない画像であるため、こうした構成では、右視差画像ＩＲから右周辺画像ＲＲ、そして、右周辺画像ＲＲから右周辺画像ＲＲの映った右反射部３５へと、自然に像が続く。
【０１０９】
同様に、左反射部３６には左周辺画像ＲＬが映るため、左視差画像ＩＬから左周辺画像ＲＬ、そして、左周辺画像ＲＬから左周辺画像ＲＬの映った左反射部３６へと、自然に像が続く。
【０１１０】
したがって、視差画像ＩＲ，ＩＬとそれに類する画像が、ユーザの視界に入る頻度が高められ、こうした画像の知覚量が、ユーザの視野において高められる。すなわち、ユーザの目から見える領域に、表示装置１０の縁部や３Ｄビューワ５０の一部のような、視差画像ＩＲ，ＩＬとは異質な像が含まれることが抑えられる。換言すれば、従来は、右空間ＳｖＲと左空間ＳｖＬとを区画する機能のみを有していた区画板部３０，３１の前後方向に延びる内側面に沿った領域が、画像を映すことに利用されることによって、ユーザには、視差画像ＩＲ，ＩＬの有する世界が区画板部３０，３１の内側面にも広がったように感じられる。
【０１１１】
それゆえ、第１実施形態と比較して、ユーザの意識が視差画像ＩＲ，ＩＬから逸れることがより的確に抑えられるため、これらの画像として提供されているコンテンツへのユーザの没入感がさらに高められる。
【０１１２】
以上説明したように、第２実施形態によれば、第１実施形態の（１）〜（４）の効果に加えて、以下の効果が得られる。
（５）３Ｄビューワ５０が、反射部３５，３６および仕切部３７，３８を備えており、反射部３５，３６には、反射部３５，３６と仕切部３７，３８との間の隙間に位置する周辺画像ＲＲ，ＲＬが映り、視差画像ＩＲ，ＩＬが反射部３５，３６に映ることは抑えられる。周辺画像ＲＲ，ＲＬが反射部３５，３６に映ることによって、視差画像ＩＲ，ＩＬとそれに視線を誘導するための画像とがユーザの視界に入る頻度が高められ、ユーザの目から見える領域に、これらの画像とは異質な像が含まれることが抑えられる。したがって、ユーザの意識が視差画像ＩＲ，ＩＬから逸れることが的確に抑えられるため、ユーザの没入感がさらに高められる。
【０１１３】
特に、周辺画像ＲＲ，ＲＬは、視差画像ＩＲ，ＩＬにおける周辺画像ＲＲ，ＲＬとの隣接部分の色彩に依拠した色彩を有して隣接部分よりも色彩の変化が緩やかな画像であって、視差画像ＩＲ，ＩＬと似た雰囲気を有しつつ、視差画像ＩＲ，ＩＬよりも目立たない画像であるため、こうした構成では、視差画像ＩＲ，ＩＬから周辺画像ＲＲ，ＲＬ、反射部３５，３６へと自然に像が続く。したがって、視差画像ＩＲ，ＩＬの周辺領域が目立ってユーザの注意を惹くことが的確に抑えられるため、ユーザの意識が視差画像ＩＲ，ＩＬから逸れることがより的確に抑えられる。
【０１１４】
（変形例）
上記各実施形態は、以下のように変更して実施することが可能である。
・周辺画像ＲＲ，ＲＬは、視差画像ＩＲ，ＩＬを囲む領域の全体に表示されなくてもよく、少なくとも一部に表示されればよい。また、右周辺画像ＲＲと左周辺画像ＲＬとのいずれか一方のみが表示されてもよい。視差画像ＩＲ，ＩＬを囲む領域の少なくとも一部に周辺画像が位置すれば、周辺画像のある部分では、ユーザの視線は周辺画像と隣接する視差画像である対象視差画像に誘導されるため、周辺画像が全くない構成と比較して、ユーザの意識が視差画像ＩＲ，ＩＬから逸れることは抑えられる。
【０１１５】
なお、周辺画像ＲＲ，ＲＬが、視差画像ＩＲ，ＩＬを囲む領域の一部に位置する構成では、周辺画像ＲＲ，ＲＬは、視差画像ＩＲ，ＩＬを囲む領域における上下方向、すなわち、右視差画像ＩＲと左視差画像ＩＬとの並ぶ方向と直交する方向の中間よりも少なくとも下側に表示されることが好ましい。
【０１１６】
こうした構成においては、ユーザが視差画像ＩＲ，ＩＬを見るとき、周辺画像ＲＲ，ＲＬはユーザから見て下側に配置される。ユーザから見て下側に位置する領域は、ユーザの視界に入りやすいため、こうした領域に、周辺画像ＲＲ，ＲＬが位置することによって、視差画像ＩＲ，ＩＬにユーザの視線が誘導されやすくなる。したがって、ユーザの意識が視差画像ＩＲ，ＩＬから逸れることが的確に抑えられる。
【０１１７】
なお、周辺画像ＲＲ，ＲＬが、視差画像ＩＲ，ＩＬを囲む領域の一部に位置する構成では、反射部３５，３６と仕切部３７，３８とは、表示面１２ａと対向する方向から見て、少なくとも周辺画像ＲＲ，ＲＬを挟む位置に配置されていればよい。
【０１１８】
・制御部１３は、表示面１２ａにて視差画像ＩＲ，ＩＬを囲む領域に表示させる画像を、視差画像ＩＲ，ＩＬに視線を誘導するための画像である周辺画像ＲＲ，ＲＬと、視差画像ＩＲ，ＩＬの演出効果を高めるための画像とに切り替えてもよい。すなわち、周辺画像ＲＲ，ＲＬは、視差画像ＩＲ，ＩＬの周囲に常に表示されていなくてもよい。視差画像ＩＲ，ＩＬの演出効果を高めるための画像としては、例えば、ユーザの視覚を刺激するような明るい色を表示する画像や、視差画像ＩＲ，ＩＬのなかで上記演出効果を高めるための画像と隣接する部分が含む色の補色を表示する画像や、点滅する画像等が挙げられる。
【０１１９】
・上記各実施形態において、周辺画像ＲＲ，ＲＬの角部では、右領域ＤＲあるいは左領域ＤＬの対角線に沿って、各枠片部Ｒｆ，Ｌｆが区画されているが、枠片部Ｒｆ，Ｌｆの形状はこれに限らない。例えば、周辺画像ＲＲ，ＲＬにおいて枠片部Ｒｆ，Ｌｆは２つの長い矩形とその間に挟まれる２つの短い矩形とに区画されていてもよい。
【０１２０】
第２実施形態において、仕切部３７，３８の延設部３７ｂ，３８ｂは、表示面１２ａと対向する方向から見て、枠片部Ｒｆ，Ｌｆ同士の境界部分とは異なる位置に配置されてもよい。ただし、延設部３７ｂ，３８ｂが、枠片部Ｒｆ，Ｌｆ同士の境界部分に配置される構成では、特に、各枠片部Ｒｆ，Ｌｆに互いに異なる色が表示される場合に、周辺画像ＲＲ，ＲＬおよび反射部３５，３６に映る像においてこれらの色の境界が目立つことが抑えられる。それゆえ、視差画像ＩＲ，ＩＬから続く像としてより自然な像が反射部３５，３６に映る。
【０１２１】
・第２実施形態の３Ｄビューワ５０は、仕切部３７，３８を有さなくてもよい。こうした構成においても、右反射部３５に映りやすい部分に右周辺画像ＲＲが位置し、左反射部３６に映りやすい部分に左周辺画像ＲＬが位置する。したがって、周辺画像ＲＲ，ＲＬが反射部３５，３６に映ることによって、視差画像ＩＲ，ＩＬとそれに視線を誘導するための画像とがユーザの視界に入る頻度が高められ、ユーザの目から見える領域に、これらの画像とは異質な像が含まれることが抑えられる。その結果、ユーザの意識が視差画像ＩＲ，ＩＬから逸れることがより的確に抑えられるため、ユーザの没入感がさらに高められる。
【０１２２】
・第２実施形態において、表示面１２ａと対向する方向から見て、右反射部３５の内側に右領域ＤＲの少なくとも一部が配置されれば、右反射部３５と右領域ＤＲとの間には隙間があいていてもよく、右領域ＤＲの外縁よりも内側に右反射部３５が配置されていてもよい。また、表示面１２ａと対向する方向から見て、左反射部３６の内側に左領域ＤＬの少なくとも一部が配置されれば、左反射部３６と左領域ＤＬとの間には隙間があいていてもよく、左領域ＤＬの外縁よりも内側に左反射部３６が配置されていてもよい。こうした構成においても、反射部３５，３６に、右領域ＤＲや左領域ＤＬに表示される画像の一部が映れば、反射部３５，３６が設けられていない構成と比較して、ユーザの目に見える領域に表示装置１０に表示される画像とは異質な像が含まれることは抑えられる。
【０１２３】
・上記変形例の他、表示装置１０とともに用いられる３Ｄビューワは、右レンズ２７および左レンズ２８と、右空間ＳｖＲを区画する右区画板部３０および左空間ＳｖＬを区画する左区画板部３１とを備えていれば、その他の構成は上記各実施形態とは異なっていてもよい。
【０１２４】
例えば、区画板部３０，３１のうち前後方向に延びる筒状部分の有する形状は、レンズから収納空間Ｓｐに向けて内径が小さくなる筒状であってもよく、また、右板部２５や左板部２６は前板部２１よりも前方向に突き出ていなくてもよい。
【０１２５】
また例えば、第２実施形態において、右空間ＳｖＲ，左空間ＳｖＬに反射部３５，３６が配置されていれば、反射部３５，３６の形状は特に限定されず、反射部３５，３６は、例えば曲面形状を有していてもよい。また、仕切部３７，３８は、反射部３５，３６と隙間をあけて配置される部分、すなわち、環部３７ａ，３８ａを有していれば、延設部３７ｂ，３８ｂを有していなくてもよく、また、延設部３７ｂ，３８ｂの位置や形状は、第２実施形態と異なっていてもよい。さらに、仕切部３７，３８の色は黒色でなくてもよく、仕切部３７，３８は、仕切部３７，３８と反射部３５，３６との間の隙間から仕切部３７，３８に向けた光の進行方向を反射部３５，３６に向けて変えるように構成されていてもよい。例えば、右仕切部３７のなかで、右反射部３５と対向する面、すなわち、環部３７ａの外側面と、延設部３７ｂの内外面とは、金属膜の積層や鏡面加工によって光を反射する機能を有していてもよい。あるいは、右仕切部３７は、プリズムを備え、右反射部３５に向けて光を屈折させる機能を有していてもよい。こうした構成によれば、周辺画像ＲＲ，ＲＬが、反射部３５，３６に映りやすくなる。また、仕切部３７，３８において、環部３７ａ，３８ａの内側面は、金属膜の積層や鏡面加工によって光を反射する機能を有し、視差画像ＩＲ，ＩＬを映してもよい。
（付記）
上記課題を解決するための手段には、上記実施形態、および、上記変形例から導き出される技術的思想として以下の付記が含まれる。
【０１２６】
（付記１）
表示装置と、前記表示装置とネットワークを介して接続された外部装置とを備える視差画像提供システムであって、前記表示装置は、画像を表示する表示部と、前記外部装置から画像データを受信する通信部と、両眼視差に応じた差異を有する右目用の視差画像および左目用の視差画像と、前記右目用の視差画像および前記左目用の視差画像の少なくとも一方が対象視差画像であり、前記対象視差画像を囲む領域の少なくとも一部に位置する周辺画像と、を前記画像データに基づいて前記表示部に表示させる制御部と、を備え、前記周辺画像は、前記対象視差画像に視線を誘導するための画像である視差画像提供システム。
【０１２７】
上記構成によれば、ユーザが表示装置の表示部に表示された画像を見るとき、対象視差画像と周辺画像とが隣接する領域においては、ユーザの視線は対象視差画像に誘導される。したがって、周辺画像がない構成と比較して、ユーザの意識が視差画像から逸れることが抑えられるため、視差画像として提供されているコンテンツへのユーザの没入感が高められる。
【０１２８】
（付記２）
上記視差画像提供システムにおいて、前記外部装置は、前記対象視差画像を表示するための画像データを基本データの一部を用いた画像処理によって生成し、前記周辺画像を表示するための画像データを前記基本データの残部を用いた画像処理によって生成し、これらの画像データを前記表示装置に送信する。
【０１２９】
上記構成によれば、対象視差画像の有する例えば色彩的な特徴を基に周辺画像を生成することができる。したがって、対象視差画像に視線を誘導するための周辺画像の生成が容易である。
【符号の説明】
【０１３０】
ＩＲ…右視差画像、ＩＬ…左視差画像、ＲＲ…右周辺画像、ＲＬ…左周辺画像、Ｒｆ，Ｌｆ…枠片部、ＤＲ…右領域、ＬＲ…左領域、Ｓｐ…収納空間、Ｓｖ…視野空間、ＳｖＲ…右空間、ＳｖＬ…左空間、１０…表示装置、１１…通信部、１２…表示部、１２ａ…表示面、１３…制御部、１４…記憶部、２０…３Ｄビューワ、２１…前板部、２２…後板部、２３…上板部、２４…下板部、２５…右板部、２６…左板部、２７…右レンズ、２８…左レンズ、２９…中板部、３０…右区画板部、３１…左区画板部、３５…右反射部、３６…左反射部、３７…右仕切部、３７ａ…環部、３７ｂ…延設部、３８…左仕切部、３８ａ…環部、３８ｂ…延設部、４０…視差画像の提供装置。
【図１】
0006596972.tif 000002
【図２】
0006596972.tif 000003
【図３】
0006596972.tif 000004
【図４】
0006596972.tif 000005
【図５】
0006596972.tif 000006
【図６】
0006596972.tif 000007
【図７】
0006596972.tif 000008
【図８】
0006596972.tif 000009
【図９】
0006596972.tif 000010
【図１０】
0006596972.tif 000011